【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は、
符号化ビデオデータと色再マッピング情報（ＣＲＩ）補足エンハンスメント情報（ＳＥＩ）メッセージとを含むビットストリームを受信することと、ここにおいて、前記ＣＲＩ  ＳＥＩメッセージが、１つまたは複数の色再マッピングプロセスに対応する情報を含む、
復号ビデオデータを発生するために前記符号化ビデオデータを復号することと、
処理された復号ビデオデータを生成するために、前記復号ビデオデータに、（ｉ）アップサンプリングプロセス、（ｉｉ）ダウンサンプリングプロセス、（ｉｉｉ）色空間コンバージョンプロセス、（ｉｖ）逆量子化プロセス、または（ｖ）前記復号ビデオデータのコンポーネントを表すために使用される色プライマリの変更、のうちの少なくとも１つを適用することと、
前記処理された復号ビデオデータに、前記ＣＲＩ  ＳＥＩメッセージに含まれる前記情報に対応する前記１つまたは複数の色再マッピングプロセスのうちの少なくとも１つの色再マッピングプロセスを適用することと、
を備える、方法。
【請求項２】
前記ＣＲＩ  ＳＥＩメッセージの一部として、
前記処理された復号ビデオデータが、追加の処理を用いてまたは用いずに、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記ＣＲＩ  ＳＥＩメッセージに対応する前記１つまたは複数の色再マッピングプロセスが、前記１つまたは複数の色再マッピングプロセスの各色再マッピングプロセスにそれぞれ対応する入力と出力とが等しくなるように構成されるかどうか、あるいは
前記ＣＲＩ  ＳＥＩメッセージに対応しない前記プロセスが、前記ＣＲＩ  ＳＥＩメッセージに対応する２つの色再マッピングプロセス間で適用されるべきであるかどうか
を示すシンタックス要素に対応する値を受信すること
をさらに備える、請求項１に記載の方法。
【請求項３】
前記ＣＲＩ  ＳＥＩメッセージが第１のＣＲＩ  ＳＥＩメッセージであり、前記方法が、
前記ビットストリーム中で、両方とも同じ復号ビデオデータに対応する前記第１のＣＲＩ  ＳＥＩメッセージと第２のＣＲＩ  ＳＥＩメッセージとを受信すること、ここにおいて、前記第２のＣＲＩ  ＳＥＩメッセージが、１つまたは複数の色再マッピングプロセスに対応する情報を含む、
をさらに備える、請求項１に記載の方法。
【請求項４】
前記第１のＣＲＩ  ＳＥＩメッセージが第１の識別値を含み、前記第２のＣＲＩ  ＳＥＩメッセージが第２の識別値を含む、請求項１に記載の方法。
【請求項５】
前記第１の識別値と前記第２の識別値とに基づいて、前記処理された復号ビデオデータに、前記第１のＣＲＩ  ＳＥＩメッセージまたは前記第２のＣＲＩ  ＳＥＩメッセージに対応する前記１つまたは複数の色再マッピングプロセスを適用するための順序を決定すること
をさらに備える、請求項４に記載の方法。
【請求項６】
色再マッピングされた復号ビデオデータを発生するために、前記処理された復号ビデオデータに、前記第１のＣＲＩ  ＳＥＩメッセージに対応する前記１つまたは複数の色再マッピングプロセスの各々を適用し、次いで、前記色再マッピングされた復号ビデオデータに、前記第２のＣＲＩ  ＳＥＩメッセージに対応する前記１つまたは複数の色再マッピングプロセスの各々を適用すること、または
色再マッピングされた復号ビデオデータを発生するために、前記処理された復号ビデオデータに、前記第２のＣＲＩ  ＳＥＩメッセージに対応する前記１つまたは複数の色再マッピングプロセスの各々を適用し、次いで、前記色再マッピングされた復号ビデオデータに、前記第１のＣＲＩ  ＳＥＩメッセージに対応する前記１つまたは複数の色再マッピングプロセスの各々を適用すること、
のうちの少なくとも１つをさらに備える、請求項５に記載の方法。
【請求項７】
符号化ビデオデータと色再マッピング情報（ＣＲＩ）補足エンハンスメント情報（ＳＥＩ）メッセージとを含むビットストリームを受信するための手段と、ここにおいて、前記ＣＲＩ  ＳＥＩメッセージが、１つまたは複数の色再マッピングプロセスに対応する情報を含む、
復号ビデオデータを発生するために前記符号化ビデオデータを復号するための手段と、
処理された復号ビデオデータを生成するために、前記復号ビデオデータに、（ｉ）アップサンプリングプロセス、（ｉｉ）ダウンサンプリングプロセス、（ｉｉｉ）色空間コンバージョンプロセス、（ｉｖ）逆量子化プロセス、または（ｖ）前記復号ビデオデータのコンポーネントを表すために使用される色プライマリの変更、のうちの少なくとも１つを適用するための手段と、
前記処理された復号ビデオデータに、前記ＣＲＩ  ＳＥＩメッセージに含まれる前記情報に対応する前記１つまたは複数の色再マッピングプロセスのうちの少なくとも１つの色再マッピングプロセスを適用するための手段と、
を備える装置。
【請求項８】
前記ＣＲＩ  ＳＥＩメッセージの一部として、
前記処理された復号ビデオデータが、追加の処理を用いてまたは用いずに、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記ＣＲＩ  ＳＥＩメッセージに対応する前記１つまたは複数の色再マッピングプロセスが、前記１つまたは複数の色再マッピングプロセスの各色再マッピングプロセスにそれぞれ対応する入力と出力とが等しくなるように構成されるかどうか、あるいは
前記ＣＲＩ  ＳＥＩメッセージに対応しない前記プロセスが、前記ＣＲＩ  ＳＥＩメッセージに対応する２つの色再マッピングプロセス間で適用されるべきであるかどうか
を示すシンタックス要素に対応する値を受信するための手段
をさらに備える、請求項７に記載の装置。
【請求項９】
前記ＣＲＩ  ＳＥＩメッセージが第１のＣＲＩ  ＳＥＩメッセージであり、前記方法が、
前記ビットストリーム中で、両方とも同じ復号ビデオデータに対応する前記第１のＣＲＩ  ＳＥＩメッセージと第２のＣＲＩ  ＳＥＩメッセージとを受信するための手段、ここにおいて、前記第２のＣＲＩ  ＳＥＩメッセージが、１つまたは複数の色再マッピングプロセスに対応する情報を含む、
をさらに備える、請求項７に記載の装置。
【請求項１０】
前記第１のＣＲＩ  ＳＥＩメッセージが第１の識別値を含み、前記第２のＣＲＩ  ＳＥＩメッセージが第２の識別値を含む、請求項９に記載の装置。
【請求項１１】
前記第１の識別値と前記第２の識別値とに基づいて、前記処理された復号ビデオデータに、前記第１のＣＲＩ  ＳＥＩメッセージまたは前記第２のＣＲＩ  ＳＥＩメッセージに対応する前記１つまたは複数の色再マッピングプロセスを適用するための順序を決定するための手段
をさらに備える、請求項１０に記載の装置。
【請求項１２】
色再マッピングされた復号ビデオデータを発生するために、前記処理された復号ビデオデータに、前記第１のＣＲＩ  ＳＥＩメッセージに対応する前記１つまたは複数の色再マッピングプロセスの各々を適用し、次いで、前記色再マッピングされた復号ビデオデータに、前記第２のＣＲＩ  ＳＥＩメッセージに対応する前記１つまたは複数の色再マッピングプロセスの各々を適用するための手段、または
色再マッピングされた復号ビデオデータを発生するために、前記処理された復号ビデオデータに、前記第２のＣＲＩ  ＳＥＩメッセージに対応する前記１つまたは複数の色再マッピングプロセスの各々を適用し、次いで、前記色再マッピングされた復号ビデオデータに、前記第１のＣＲＩ  ＳＥＩメッセージに対応する前記１つまたは複数の色再マッピングプロセスの各々を適用するための手段、
のうちの少なくとも１つをさらに備える、請求項１１に記載の装置。
【請求項１３】
各ＣＲＩ  ＳＥＩメッセージが、シンタックス要素に対応する値を含み、
復号ビデオデータを発生するために前記符号化ビデオデータを復号すること
ここにおいて、前記シンタックス要素に対応する前記値が、
前記復号ビデオデータが、追加の処理を用いてまたは用いずに、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記ＣＲＩ  ＳＥＩメッセージに対応する前記１つまたは複数の色再マッピングプロセスが、前記１つまたは複数の色再マッピングプロセスの各色再マッピングプロセスにそれぞれ対応する入力と出力とが等しくなるように構成されるかどうか、あるいは
前記ＣＲＩ  ＳＥＩメッセージに対応しないプロセスが、前記ＣＲＩ  ＳＥＩメッセージに対応する２つの色再マッピングプロセス間で適用されるべきであるかどうか
を示す、
請求項１〜請求項６のうちのいずれか一項の方法。
【請求項１４】
実行されると、請求項１〜請求項６または請求項１３のうちのいずれか一項の方法を行う、コンピュータプログラム製品。
【手続補正２】
【補正対象書類名】明細書
【補正対象項目名】０２００
【補正方法】変更
【補正の内容】
【０２００】
[0211]  様々な例が説明された。これらおよび他の例は以下の特許請求の範囲内に入る。
以下に本願の出願当初の特許請求の範囲に記載された発明を付記する。
[Ｃ１]  ビデオデータを処理する方法であって、前記方法は、
符号化ビデオデータと色再マッピング情報（ＣＲＩ）補足エンハンスメント情報（ＳＥＩ）メッセージとを含むビットストリームを受信することと、ここにおいて、前記ＣＲＩ  ＳＥＩメッセージが、１つまたは複数の色再マッピングプロセスに対応する情報を含む、
復号ビデオデータを発生するために前記符号化ビデオデータを復号することと、
処理された復号ビデオデータを生成するために前記復号ビデオデータに前記１つまたは複数の色再マッピングプロセスのうちの少なくとも１つを適用する前に、前記復号ビデオデータに、前記ＣＲＩ  ＳＥＩメッセージに対応しないプロセスを適用することと
を備える、方法。
[Ｃ２]  前記処理された復号ビデオデータに前記１つまたは複数の色再マッピングプロセスのうちの少なくとも１つを適用すること
をさらに備える、Ｃ１に記載の方法。
[Ｃ３]  前記ＣＲＩ  ＳＥＩメッセージに対応しない前記プロセスが、
アップサンプリングプロセス、
ダウンサンプリングプロセス、
色空間コンバージョンプロセス、
逆量子化プロセス、または
前記復号ビデオデータのコンポーネントを表すために使用される色プライマリの変更のうちの少なくとも１つを含む、Ｃ１に記載の方法。
[Ｃ４]  前記ＣＲＩ  ＳＥＩメッセージの一部として、
前記処理された復号ビデオデータが、追加の処理を用いてまたは用いずに、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記ＣＲＩ  ＳＥＩメッセージに対応する前記１つまたは複数の色再マッピングプロセスが、前記１つまたは複数の色再マッピングプロセスの各色再マッピングプロセスにそれぞれ対応する入力と出力とが等しくなるように構成されるかどうか、あるいは
前記ＣＲＩ  ＳＥＩメッセージに対応しない前記プロセスが、前記ＣＲＩ  ＳＥＩメッセージに対応する２つの色再マッピングプロセス間で適用されるべきであるかどうかを示すシンタックス要素に対応する値を受信すること
をさらに備える、Ｃ１に記載の方法。
[Ｃ５]  前記ＣＲＩ  ＳＥＩメッセージが第１のＣＲＩ  ＳＥＩメッセージであり、前記方法が、
前記ビットストリーム中で、両方とも同じ復号ビデオデータに対応する前記第１のＣＲＩ  ＳＥＩメッセージと第２のＣＲＩ  ＳＥＩメッセージとを受信すること、ここにおいて、前記第２のＣＲＩ  ＳＥＩメッセージが、１つまたは複数の色再マッピングプロセスに対応する情報を含む、
をさらに備える、Ｃ１に記載の方法。
[Ｃ６]  前記第１のＣＲＩ  ＳＥＩメッセージが第１の識別値を含み、前記第２のＣＲＩ  ＳＥＩメッセージが第２の識別値を含む、Ｃ５に記載の方法。
[Ｃ７]  前記第１の識別値と前記第２の識別値とに基づいて、前記処理された復号ビデオデータに、前記第１のＣＲＩ  ＳＥＩメッセージまたは前記第２のＣＲＩ  ＳＥＩメッセージに対応する前記１つまたは複数の色再マッピングプロセスを適用するための順序を決定すること
をさらに備える、Ｃ６に記載の方法。
[Ｃ８]  色再マッピングされた復号ビデオデータを発生するために、前記処理された復号ビデオデータに、前記第１のＣＲＩ  ＳＥＩメッセージに対応する前記１つまたは複数の色再マッピングプロセスの各々を適用し、次いで、前記色再マッピングされた復号ビデオデータに、前記第２のＣＲＩ  ＳＥＩメッセージに対応する前記１つまたは複数の色再マッピングプロセスの各々を適用すること、または
色再マッピングされた復号ビデオデータを発生するために、前記処理された復号ビデオデータに、前記第２のＣＲＩ  ＳＥＩメッセージに対応する前記１つまたは複数の色再マッピングプロセスの各々を適用し、次いで、前記色再マッピングされた復号ビデオデータに、前記第１のＣＲＩ  ＳＥＩメッセージに対応する前記１つまたは複数の色再マッピングプロセスの各々を適用すること、
のうちの少なくとも１つをさらに備える、Ｃ７に記載の方法。
[Ｃ９]  ビデオデータを処理するように構成されたデバイスであって、前記デバイスが、
メモリと、
１つまたは複数のプロセッサと
を備え、前記１つまたは複数のプロセッサが、
符号化ビデオデータと色再マッピング情報（ＣＲＩ）補足エンハンスメント情報（ＳＥＩ）メッセージとを含むビットストリームを処理することと、ここにおいて、前記ＣＲＩ  ＳＥＩメッセージが、１つまたは複数の色再マッピングプロセスに対応する情報を含む、
復号ビデオデータを発生するために前記符号化ビデオデータを復号することと、
前記メモリに前記復号ビデオデータを記憶することと、
処理された復号ビデオデータを生成するために前記復号ビデオデータに前記１つまたは複数の色再マッピングプロセスのうちの少なくとも１つを適用する前に、前記復号ビデオデータに、前記ＣＲＩ  ＳＥＩメッセージに対応しないプロセスを適用することと
をするように構成された、デバイス。
[Ｃ１０]  前記１つまたは複数のプロセッサが、
前記処理された復号ビデオデータに前記１つまたは複数の色再マッピングプロセスのうちの少なくとも１つを適用すること
をするようにさらに構成された、Ｃ９に記載のデバイス。
[Ｃ１１]  前記ＣＲＩ  ＳＥＩメッセージに対応しない前記プロセスが、
アップサンプリングプロセス、
ダウンサンプリングプロセス、
色空間コンバージョンプロセス、
逆量子化プロセス、または
前記復号ビデオデータのコンポーネントを表すために使用される色プライマリの変更のうちの少なくとも１つを含む、Ｃ９に記載のデバイス。
[Ｃ１２]  前記１つまたは複数のプロセッサが、
前記ＣＲＩ  ＳＥＩメッセージの一部として、
前記処理された復号ビデオデータが、追加の処理を用いてまたは用いずに、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記ＣＲＩ  ＳＥＩメッセージに対応する前記１つまたは複数の色再マッピングプロセスが、前記１つまたは複数の色再マッピングプロセスの各色再マッピングプロセスにそれぞれ対応する入力と出力とが等しくなるように構成されるかどうか、あるいは
前記ＣＲＩ  ＳＥＩメッセージに対応しない前記プロセスが、前記ＣＲＩ  ＳＥＩメッセージに対応する２つの色再マッピングプロセス間で適用されるべきであるかどうかを示すシンタックス要素に対応する値を受信すること
をするようにさらに構成された、Ｃ９に記載のデバイス。
[Ｃ１３]  前記ＣＲＩ  ＳＥＩメッセージが第１のＣＲＩ  ＳＥＩメッセージであり、ここにおいて、前記１つまたは複数のプロセッサは、
前記ビットストリーム中で、両方とも同じ復号ビデオデータに対応する前記第１のＣＲＩ  ＳＥＩメッセージと第２のＣＲＩ  ＳＥＩメッセージとを受信すること、ここにおいて、前記第２のＣＲＩ  ＳＥＩメッセージが、１つまたは複数の色再マッピングプロセスに対応する情報を含む、
をするようにさらに構成された、Ｃ９に記載のデバイス。
[Ｃ１４]  前記第１のＣＲＩ  ＳＥＩメッセージが第１の識別値を含み、前記第２のＣＲＩ  ＳＥＩメッセージが第２の識別値を含む、Ｃ１３に記載のデバイス。
[Ｃ１５]  前記１つまたは複数のプロセッサが、
前記第１の識別値と前記第２の識別値とに基づいて、前記処理された復号ビデオデータに、前記第１のＣＲＩ  ＳＥＩメッセージまたは前記第２のＣＲＩ  ＳＥＩメッセージに対応する前記１つまたは複数の色再マッピングプロセスを適用するための順序を決定すること
をするようにさらに構成された、Ｃ１４に記載のデバイス。
[Ｃ１６]  前記１つまたは複数のプロセッサが、
色再マッピングされた復号ビデオデータを発生するために、前記処理された復号ビデオデータに、前記第１のＣＲＩ  ＳＥＩメッセージに対応する前記１つまたは複数の色再マッピングプロセスの各々を適用し、次いで、前記色再マッピングされた復号ビデオデータに、前記第２のＣＲＩ  ＳＥＩメッセージに対応する前記１つまたは複数の色再マッピングプロセスの各々を適用すること、または
色再マッピングされた復号ビデオデータを発生するために、前記処理された復号ビデオデータに、前記第２のＣＲＩ  ＳＥＩメッセージに対応する前記１つまたは複数の色再マッピングプロセスの各々を適用し、次いで、前記色再マッピングされた復号ビデオデータに、前記第１のＣＲＩ  ＳＥＩメッセージに対応する前記１つまたは複数の色再マッピングプロセスの各々を適用すること、
のうちの少なくとも１つを行うようにさらに構成された、Ｃ１５に記載のデバイス。
[Ｃ１７]  符号化ビデオデータと色再マッピング情報（ＣＲＩ）補足エンハンスメント情報（ＳＥＩ）メッセージとを含むビットストリームを受信するための手段と、ここにおいて、前記ＣＲＩ  ＳＥＩメッセージが、１つまたは複数の色再マッピングプロセスに対応する情報を含む、
復号ビデオデータを発生するために前記符号化ビデオデータを復号するための手段と、  処理された復号ビデオデータを生成するために前記復号ビデオデータに前記１つまたは複数の色再マッピングプロセスのうちの少なくとも１つを適用する前に、前記復号ビデオデータに、前記ＣＲＩ  ＳＥＩメッセージに対応しないプロセスを適用するための手段とを備える装置。
[Ｃ１８]  前記処理された復号ビデオデータに前記１つまたは複数の色再マッピングプロセスのうちの少なくとも１つを適用するための手段
をさらに備える、Ｃ１７に記載の装置。
[Ｃ１９]  前記ＣＲＩ  ＳＥＩメッセージに対応しない前記プロセスが、
アップサンプリングプロセス、
ダウンサンプリングプロセス、
色空間コンバージョンプロセス、
逆量子化プロセス、または
前記復号ビデオデータのコンポーネントを表すために使用される色プライマリの変更のうちの少なくとも１つを含む、Ｃ１７に記載の装置。
[Ｃ２０]  前記ＣＲＩ  ＳＥＩメッセージの一部として、
前記処理された復号ビデオデータが、追加の処理を用いてまたは用いずに、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記ＣＲＩ  ＳＥＩメッセージに対応する前記１つまたは複数の色再マッピングプロセスが、前記１つまたは複数の色再マッピングプロセスの各色再マッピングプロセスにそれぞれ対応する入力と出力とが等しくなるように構成されるかどうか、あるいは
前記ＣＲＩ  ＳＥＩメッセージに対応しない前記プロセスが、前記ＣＲＩ  ＳＥＩメッセージに対応する２つの色再マッピングプロセス間で適用されるべきであるかどうかを示すシンタックス要素に対応する値を受信するための手段
をさらに備える、Ｃ１７に記載の装置。
[Ｃ２１]  前記ＣＲＩ  ＳＥＩメッセージが第１のＣＲＩ  ＳＥＩメッセージであり、前記方法が、
前記ビットストリーム中で、両方とも同じ復号ビデオデータに対応する前記第１のＣＲＩ  ＳＥＩメッセージと第２のＣＲＩ  ＳＥＩメッセージとを受信するための手段、ここにおいて、前記第２のＣＲＩ  ＳＥＩメッセージが、１つまたは複数の色再マッピングプロセスに対応する情報を含む、
をさらに備える、Ｃ１７に記載の装置。
[Ｃ２２]  前記第１のＣＲＩ  ＳＥＩメッセージが第１の識別値を含み、前記第２のＣＲＩ  ＳＥＩメッセージが第２の識別値を含む、Ｃ２１に記載の装置。
[Ｃ２３]  前記第１の識別値と前記第２の識別値とに基づいて、前記処理された復号ビデオデータに、前記第１のＣＲＩ  ＳＥＩメッセージまたは前記第２のＣＲＩ  ＳＥＩメッセージに対応する前記１つまたは複数の色再マッピングプロセスを適用するための順序を決定するための手段
をさらに備える、Ｃ２２に記載の装置。
[Ｃ２４]  色再マッピングされた復号ビデオデータを発生するために、前記処理された復号ビデオデータに、前記第１のＣＲＩ  ＳＥＩメッセージに対応する前記１つまたは複数の色再マッピングプロセスの各々を適用し、次いで、前記色再マッピングされた復号ビデオデータに、前記第２のＣＲＩ  ＳＥＩメッセージに対応する前記１つまたは複数の色再マッピングプロセスの各々を適用するための手段、または
色再マッピングされた復号ビデオデータを発生するために、前記処理された復号ビデオデータに、前記第２のＣＲＩ  ＳＥＩメッセージに対応する前記１つまたは複数の色再マッピングプロセスの各々を適用し、次いで、前記色再マッピングされた復号ビデオデータに、前記第１のＣＲＩ  ＳＥＩメッセージに対応する前記１つまたは複数の色再マッピングプロセスの各々を適用するための手段、
のうちの少なくとも１つをさらに備える、Ｃ２３に記載の装置。
[Ｃ２５]  ビデオデータを処理する方法であって、前記方法が、
符号化ビデオデータと複数の色再マッピング情報（ＣＲＩ）補足エンハンスメント情報（ＳＥＩ）メッセージとを含むビットストリームを受信することと、ここにおいて、前記複数のＣＲＩ  ＳＥＩメッセージの各ＣＲＩ  ＳＥＩメッセージが、１つまたは複数の色再マッピングプロセスに対応する情報を含み、ここにおいて、前記複数のＣＲＩ  ＳＥＩメッセージが、第１のＣＲＩ  ＳＥＩメッセージと第２のＣＲＩ  ＳＥＩメッセージとを含む、
復号ビデオデータを発生するために前記符号化ビデオデータを復号することと、ここにおいて、複数のＣＲＩ  ＳＥＩメッセージが同じ復号ビデオデータに対応する、
を備える、方法。
[Ｃ２６]  ビデオデータを処理する方法であって、前記方法は、
符号化ビデオデータと色再マッピング情報（ＣＲＩ）補足エンハンスメント情報（ＳＥＩ）メッセージとを含むビットストリームを受信することと、ここにおいて、前記ＣＲＩ  ＳＥＩメッセージが、１つまたは複数の色再マッピングプロセスに対応する情報と、シンタックス要素に対応する値とを含む、
復号ビデオデータを発生するために前記符号化ビデオデータを復号することと
を備え、
ここにおいて、前記シンタックス要素に対応する前記値が、
前記復号ビデオデータが、追加の処理を用いてまたは用いずに、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記ＣＲＩ  ＳＥＩメッセージに対応する前記１つまたは複数の色再マッピングプロセスが、前記１つまたは複数の色再マッピングプロセスの各色再マッピングプロセスにそれぞれ対応する入力と出力とが等しくなるように構成されるかどうか、あるいは
前記ＣＲＩ  ＳＥＩメッセージに対応しないプロセスが、前記ＣＲＩ  ＳＥＩメッセージに対応する２つの色再マッピングプロセス間で適用されるべきであるかどうか
を示す、
方法。